(57)【要約】【課題】設計変更が生じた場合にも容易にコイルの巻き幅を変更することが可能なトランスを提供する。【解決手段】トランス１０は、第１のボビン部１と第２のボビン部２とを備えている。第１のボビン部１は円筒状の側面部１ｂを備えている。第２のボビン部２は、円筒状の側面部２ｂを備えている。側面部１ｂの内径は側面部２ｂの外径とほぼ一致している。したがって、側面部２ｂの外周面は、側面部１ｂの内周に接触しながら移動することが可能である。また、第１のボビン部１と第２のボビン部２とは、互いの位置関係が互いの間に生じる摩擦力によって固定されている。【選択図】図２
2007184468.tif 000002
【特許請求の範囲】
【請求項１】
コイルが巻付けられる第１のボビン部と、
前記第１のボビン部に挿入され、前記コイルが巻付けられる第２のボビン部とを備え、
前記第１のボビン部は、前記コイルの最大巻き幅を変更し得るように、前記第２のボビン部に対して進退可能に構成され、
前記第１のボビン部の底面部および前記第２のボビン部の底面部のうち少なくともいずれか一方にコア挿入用の貫通孔が設けられており、さらに、
次の（Ａ）〜（Ｃ）のうちのいずれか一の構成を有している、トランス。
（Ａ）：前記第１のボビン部と前記第２のボビン部との位置関係が互いの間に生じる摩擦力によって固定されている。
（Ｂ）：前記第１のボビン部の内側面および前記第２のボビン部の外側面のうち少なくともいずれか一方に前記第１のボビン部と前記第２のボビン部との位置関係を固定するためのストッパが設けられている。
（Ｃ）：前記第１のボビン部が雌ねじ部を有し、前記第２のボビン部が雄ねじ部を有し、前記雌ねじ部と前記雄ねじ部との螺合状態によって、前記第１のボビン部および前記第２のボビン部の相対的な位置関係が変更される。
【請求項２】
コイルが巻付けられる第１のボビン部と、
前記第１のボビン部に挿入され、前記コイルが巻付けられる第２のボビン部とを備え、
前記第１のボビン部は、前記コイルの最大巻き幅を変更し得るように、前記第２のボビン部に対して進退可能に構成されている、トランス。
【請求項３】
前記第１のボビン部の底面部および前記第２のボビン部の底面部のうち少なくともいずれか一方にコア挿入用の貫通孔が設けられた、請求項２に記載のトランス。
【請求項４】
前記第１のボビン部と前記第２のボビン部との位置関係が互いの間に生じる摩擦力によって固定される、請求項２に記載のトランス。
【請求項５】
前記第１のボビン部の内側面および前記第２のボビン部の外側面のうち少なくともいずれか一方に前記第１のボビン部と前記第２のボビン部との位置関係を固定するためのストッパが設けられた、請求項２に記載のトランス。
【請求項６】
前記第１のボビン部が雌ねじ部を有し、前記第２のボビン部が雄ねじ部を有し、
前記雌ねじ部と前記雄ねじ部との螺合状態によって、前記第１のボビン部および前記第２のボビン部の相対的な位置関係が変更される、請求項２に記載のトランス。
【発明の詳細な説明】
【技術分野】
【０００１】
本発明は、一次側コイルの電圧を変換して二次側コイルに伝達するトランスに関するものである。
【背景技術】
【０００２】
従来から、一次側コイルの電圧を変換して二次側コイルに伝えるトランスが用いられている。以下、図９を用いて、従来のトランスの構造を説明する。
【０００３】
従来のトランス１００は、円筒型のボビン側面部１１０と、ボビン側面部１１０の両端のそれぞれに固定されたボビン底面部１０１および１０２とを備えている。ボビン側面部１１０とボビン底面部１０１および１０２とによって囲まれた空間には、コア（フェライト）１０３が内装されている。コア１０３とボビン側面部１１０との間には樹脂１１３が充填されている。コア１０３の位置は、樹脂１１３を介してボビン側面部１１０に対して固定されている。
【０００４】
また、ボビン側面部１１０の外周面には、一次側コイル１０５が巻付けられている。また、一次側コイル１０５の外周面には、絶縁体１０６が巻付けられている。また、絶縁体１０６の外周面には、二次側コイル１０７が巻付けられている。
【０００５】
一次側コイル１０５に電流が流れると、コア１０３の磁力を利用して磁界が発生する。その磁界により、二次側コイル１０７に電流が流れる。したがって、一次側コイル１０５に所定の電圧が印加されると、二次側コイル１０７に所望の電圧が印加される。このとき、一次側コイル１０５の巻数等と二次側コイル１０７の巻数等とを調整すれば、一次側のコイル１０５に印加される電圧と二次側コイル１０７に印加される電圧との変換比率を調整することが可能になる。
【特許文献１】特開２０００−３５７６１４号公報
【発明の開示】
【発明が解決しようとする課題】
【０００６】
上記従来のトランス１００においては、ボビン側面部１１０は一体成型されたものであり、その長さＬは固定されている。したがって、ボビンを購入した後で、一次側コイル１０５と二次側コイル１０７との間の変換電圧を微調整するために、一次側コイル１０５および二次側コイルのうちの少なくともいずれか一方の巻き幅Ｗを変更することが必要になった場合には、ボビン側面部１１０の長さＬが足りずに、コイルの巻き幅Ｗを調節することができないことがある。したがって、ボビンを新たに購入し直さなければならない。そのため、トランスを含む電子部品の製造期間の短縮を図ることができないという不具合が生じる。
【０００７】
本発明は、上述の問題に鑑みなされたものであり、その目的は、設計変更が生じた場合にも、コイルの巻き幅を容易に変更することが可能なトランスを提供することである。
【課題を解決するための手段】
【０００８】
本発明の一の局面のトランスは、コイルが巻付けられる第１のボビン部と、第１のボビン部に挿入され、コイルが巻付けられる第２のボビン部とを備えている。第１のボビン部は、コイルの最大巻き幅を変更し得るように、第２のボビン部に対して進退可能に構成されている。第１のボビン部の底面部および第２のボビン部の底面部のうち少なくともいずれか一方にコア挿入用の貫通孔が設けられている。さらに、前述のトランスは、次の（Ａ）〜（Ｃ）のうちのいずれか一の構成を有している。
【０００９】
（Ａ）：第１のボビン部と第２のボビン部との位置関係が互いの間に生じる摩擦力によって固定されている。
【００１０】
（Ｂ）：第１のボビン部の内側面および第２のボビン部の外側面のうち少なくともいずれか一方に第１のボビン部と第２のボビン部との位置関係を固定するためのストッパが設けられている。
【００１１】
（Ｃ）：第１のボビン部が雌ねじ部を有し、第２のボビン部が雄ねじ部を有し、雌ねじ部と雄ねじ部との螺合状態によって、第１のボビン部および第２のボビン部の相対的な位置関係が変更される。
【００１２】
前述の一の局面のトランスによれば、以下の他の局面のトランスにより得られる効果の全てを得ることができる。
【００１３】
本発明の他の局面のトランスは、コイルが巻付けられる第１のボビン部と、第１のボビン部に挿入され、コイルが巻付けられる第２のボビン部とを備えている。第１のボビン部は、コイルの最大巻き幅を変更し得るように、第２のボビン部に対して進退可能に構成されている。この構成によれば、第２のボビン部を第１のボビンに対して相対的に移動させることにより、ボビンに巻付けられるコイルの最大巻き幅を変化させることができる。したがって、設計変更が生じた場合にも、ボビンを別の部品に取換えることなく、容易に設計変更に対応することができる。
【００１４】
また、第１のボビン部の底面部および第２のボビン部の底面部のうち少なくともいずれか一方にコア挿入用の貫通孔が設けられていることが望ましい。一般に、ボビンにコイルを巻き付ける前にコアをボビンの中に挿入した場合には、コアの磁力の影響によって、コイルのボビンへの巻付けが困難になる。しかしながら、前述の構成によれば、第１のボビン部と第２のボビン部との位置関係が固定された状態でボビンにコイルを巻付けた後に、貫通孔を介してコアをボビン内に挿入することができる。そのため、コイルのボビンへの巻き付けが困難になるという不具合の発生が防止される。
【００１５】
また、第１のボビン部と第２のボビン部との位置関係が互いの間に生じる摩擦力によって固定されていてもよい。この構成によれば、第１のボビン部と第２のボビン部との位置関係を固定するための構造がシンプルになる。
【００１６】
また、第１のボビン部の内側面および第２のボビン部の外側面のうち少なくともいずれか一方に第１のボビン部と第２のボビン部との位置関係を固定するためのストッパが設けられていてもよい。この構成によれば、第１のボビン部と第２のボビン部との位置関係の固定の信頼性が向上する。
【００１７】
また、第１のボビン部が雌ねじ部を有し、第２が雌ねじ部を有し、雌ねじ部と雄ねじ部との螺合状態によって、第１のボビン部および第２のボビン部の相対的な位置関係が変更されてもよい。この構成によれば、第１のボビン部と第２のボビン部との位置関係が安定し易いとともに、第１のボビン部と第２のボビン部との相対的な位置の微調整が容易になる。
【発明を実施するための最良の形態】
【００１８】
以下、図面を参照しながら、本発明の実施の形態のトランス１０を説明する。
本実施の形態のトランス１０は、第１のボビン部１と第２のボビン部２とを備えている。第１のボビン部１は、円板状の底面部１ａと円筒状の側面部１ｂとを備えている。底面部１ａは側面部１ｂの一方端に設けられている。また、第２のボビン部２は、円板状の底面部２ａと円筒状の側面部２ｂとを備えている。底面部２ａは側面部２ｂの一方端に設けられている。なお、第１のボビン部１の底面部１ａの外周面にはピン１ｃが設けられている。また、第２のボビン部２の底面部２ａの外周面にはピン２ｃが設けられている。ピン１ｃとピン２ｃとは、それぞれ、回路基板に固定され得るものである。
【００１９】
また、第１のボビン部１の側面部１ｂの内径は、第２のボビン部２の側面部２ｂの外径とほぼ一致しているか、または、わずかに大きい。そのため、第１のボビン部１の側面部１ｂの内側面と第２のボビン部２の側面部２ｂの外側面とが接触した状態で、矢印Ｒに沿った方向において、第１のボビン部１は、第２のボビン部２に対して進退可能である。したがって、第１のボビン部１と第２のボビン部とは相対的な位置関係が変更され得るものである。また、第１のボビン部１と第２のボビン部２とは、互いに間に生じる摩擦力によって、互いの位置関係が固定され得るものでもある。
【００２０】
また、第２のボビン部２の底面部２ａには、円形の貫通孔２ｄが設けられている。貫通孔２ｄの内径は、側面部２ｂの内径と一致しているとともに、後述するコア３の外径よりも大きい。
【００２１】
トランス１０に一次側コイル５が巻付けられるときには、図２に示すように、まず、第１のボビン部１と第２のボビン部２との位置関係が互いの摩擦力によって固定される。その結果、ボビンの最大巻き幅は、長さＬとなる。
【００２２】
その後、貫通孔２ｄを介して第２のボビン部の側面部２ｂ内にフェライトからなるコア３が挿入される。コア３は円柱状であるため、側面部２ｂとコア３とは同心円状の関係に配置される。コア３の底面は底面部１ａに接触する。また、コア３と第１のボビン部１および第２のボビン部２のそれぞれとの間の隙間には、接着剤等の絶縁性の樹脂４が注入される。これにより、コア３と第１のボビン部１および第２のボビン部２との位置関係が固定される。
【００２３】
次に、一次側のコイル５が第１のボビン部１の側面部１ｂの外周面および第２のボビン部２の側面部２ｂの外周面に沿うように巻付けられる。その結果、一次側コイル５の巻き幅Ｗが決定される。次に、一次側コイル５の外周面を覆うように絶縁体６が取り付られる。さらに、絶縁体６の外周面に二次側コイル７が巻き付けられる。これにより、トランス１０が完成する。
【００２４】
上記の本実施の形態のトランス１０によれば、第１のボビン部１が第２のボビン部２に対して進退可能である。そのため、コイルの最大巻き幅Ｌが変更され得る。そのため、一次側コイル５および二次側コイル７の巻き幅Ｗを変更することが可能になる。その結果、第１のボビン部１および第２のボビン部２を購入した後に、設計変更が生じた場合にも、長さＬを変更して、一次側コイル５および二次側コイル７の巻数を容易に変更することができる。したがって、設計変更に伴う製造工程での時間のロスが生じない。
【００２５】
また、図１および図２に示すトランス１０によれば、第１のボビン部１と第２のボビン部２との間の位置関係が摩擦力によって固定される。したがって、第１のボビン部１と第２のボビン部２との位置関係の微調整が容易になる。
【００２６】
なお、図１および図２に示すトランス１０においては、コア３を挿入するための貫通孔２ｄが第２のボビン部２の底面部２ａに設けられている。しかしながら、図３に示すように、第１のボビン部１の底面部１ａに貫通孔１ｄが設けられており、貫通孔１ｄを介して第１のボビン部１および第２のボビン部２内にコア３が挿入されてもよい。この場合にも同様に第１のボビン部１および第２のボビン部２とのコア３との間には樹脂４が注入される。また、貫通孔が底面部１ａおよび底面部２ａの双方に設けられていてもよい。
【００２７】
また、図３に示すように、底面部２ａと側面部１ｂの先端との間に、側面部２ｂの外周面に沿うように、円筒状の調整部材８が設けられていてもよい。調整部材８が設けられていれば、側面部１ｂが底面部２ａへ向かって移動してしまうことが防止される。また、調整部材８の外周面と側面部１ｂの外周面との間に段差がなければ、よりスムーズに一次側コイル５をボビンに巻き付けることができる。また、調整部材８として、市販されているテープ等が用いられれば、第１のボビン部１と第２のボビン部２との間の位置関係を容易に固定することができるとともに、側面部１ｂと側面部２ｂとの間の段差に起因する問題を解消することができる。
【００２８】
また、図１および図２に示すトランスにおいては、一次側のコイル５と二次側のコイル７とが同心円状に巻き付けられるトランスが示されている。しかしながら、図４に示すように、２つのボビンが平行に設けられ、コア３がそれぞれのボビン内に設けられており、一次側のコイル５が一方のボビンに巻付けられ、二次側のコイル７が他方のボビンに巻付けられているようなトランスが用いられてもよい。この場合、第１のボビン部１および第２のボビン部２のうちの少なくともいずれか一方の長さＬを調整すれば、一次側のコイルの巻き幅Ｗと二次側コイル７の巻き幅Ｗとの関係を調整することができる。その結果、一次側コイル５に印加される電圧と二次側コイル７に印加される電圧との関係が容易に変更され得る。
【００２９】
また、図１および図２に示すトランス１０においては、第１のボビン部１と第２のボビン部２との間の摩擦力によって互いの位置関係が固定されている。しかしながら、図５に示すような構造が用いられてもよい。
【００３０】
図５に示す構造においては、第１のボビン部１の側面部１ｂの内周面にリング状の突起１ｅが複数設けられている。また、第２のボビン部２の側面部２ｂの先端の外周面にリング状の突起２ｅが設けられている。突起１ｅおよび２ｅは、それぞれ、本発明のストッパとして機能する。また、突起１ｅ同士の間に突起２ｅが嵌まり込むことによって、第１のボビン部１と第２のボビン部２との位置関係が固定される。
【００３１】
なお、突起１ｅは側面部１ｂの内周面にリング状に設けられている。また、突起２ｅも第２のボビン部２の側面部２ａの外周面にリング状に設けられている。また、突起１ｅ同士の間隔と突起２ｅの幅とはほぼ同一である。そのため、第１のボビン部１と第２のボビン部２との間の軸方向の位置関係がずれることはない。
【００３２】
また、第２のボビン部２の側面部２ｂの外周面と突起１ｅの先端とは接触している。そのため、第１のボビン部１と第２のボビン部２との間の径方向の位置関係のずれが生じることはない。
【００３３】
図５に示すトランスにおいても、第２のボビン部２の底面部２ｂに円形の貫通孔２ｄが設けられている。そのため、貫通孔２ｄを介してコア３が側面部２ｂ内へ挿入される。また、側面部１ｂと側面部２ｂとはそれぞれ樹脂成型によって形成されている。そのため、第１のボビン部１から第２のボビン部２を引抜くかまたは押込むような大きな力が作用すれば、突起１ｅおよび突起２ｅのそれぞれが弾性変形し、突起２ｅは、軸方向に移動して、一の突起１ｅ同士の間の位置とは異なる他の突起１ｅ同士の間の位置に移動することが可能である。
【００３４】
上記のような図５に示すトランスによれば、ストッパとしての突起１ｅおよび２ｅが設けられているため、第１のボビン部１と第２のボビン部２との間の摩擦力によって第１のボビン部１と第２のボビン部２との位置関係が固定される場合に比較して、第１のボビン部１と第２のボビン部２との間の位置関係をより強固に固定することができる。
【００３５】
また、トランスの構造として、図６および図７に示すような構造が採用されてもよい。第１のボビン部１の側面部１ｂの内周面に複数のばね部１ｆが設けられている。図６および図７に示す構造においては、第２のボビン部２の側面部２ｂの外周面に複数のばね部２ｆが設けられている。ばね部１ｆおよび２ｆのそれぞれも、本発明のストッパとして機能する。なお、本実施の形態においては、ばね部１ｆおよび２ｆの双方が設けられているトランス１０が採用されているが、ばね部１ｆおよび２ｆのいずれか一方のみが設けられているトランスであって、本実施の形態のトランス１０によって得られる効果と同様の効果が得られる。
【００３６】
第１のボビン部１に第２のボビン部２が挿入された状態においては、ばね部１ｆが側面部２ｂの外周面に接触し、ばね部２ｆが側面部１ｂの内周面に接触する。このとき、ばね部１ｆおよびばね部２ｆは、それぞれ、弾性変形する。それによって、ばね部１ｆは側面部２ｂの外周面を押付け、ばね部２ｆは側面部１ｂの内周面を押付ける。それによって、第１のボビン部１と第２のボビン部２との位置関係が固定される。
【００３７】
これによれば、ばね部１ｆおよびばね部２ｆのそれぞれの復元力が大きければ、側面部１ｂと側面部２ｂとの間の摩擦力によって第１のボビン部１と第２のボビン部２との間の位置関係を固定するよりも、第１のボビン部１と第２のボビン部２との間の位置関係をより強固に固定することが可能になる。また、図５に示すような突起１ｅおよび２ｅによって第１のボビン部１と第２のボビン部２との間の位置関係を固定する場合に比較して、より互いの位置関係の微妙な調整を行うことが可能になる。
【００３８】
また、トランスの構造として、図８に示すような構造が採用されてもよい。図８に示すトランスには、第１のボビン部１の側面部１ｂの内周面に雌ねじ部１ｇが設けられている。また、第２のボビン部２の側面部２ｂの外周面に雄ねじ部２ｇが設けられている。また、雌ねじ部１ｇと雄ねじ部２ｇとが螺合する。それによって、第１のボビン部１と第２のボビン部２との位置関係が固定される。
【００３９】
図８に示す構造によっても、第１のボビン部１と第２のボビン部２との間の位置関係を強固に固定することができる。また、螺合状態の変更によって、第１のボビン部１と第２のボビン部２との間の位置関係の微調整が可能になる。
【００４０】
また、側面部２ｂの外周面に沿うように、コイルスプリング９が設けられていれば、第１のボビン部１と第２のボビン部２とが螺合した状態で、コイルスプリング９の一方端が側面部１ｂの先端を押付ける。それにより、雄ねじ部２ｇと雌ねじ部１ｇとが互いに押付けられる。したがって、雄ねじ部２ｇと雌ねじ部１ｇとの間の位置ずれが確実に防止される。なお、コイルスプリング９は、導電性の部材からなっていれば、トランスしての機能に悪影響を与えるおそれがあるため、絶縁性のコイルスプリングが用いられることが望ましい。
【００４１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４２】
【図１】実施の形態の第１の例のトランスのボビン部の側面図である。
【図２】実施の形態の第１の例のトランスの断面図である。
【図３】実施の形態の第２の例のトランスのボビン部の断面図である。
【図４】実施の形態の第３の例のトランスの断面図である。
【図５】実施の形態の第４の例のトランスのボビン部の断面図である。
【図６】実施の形態の第５の例のトランスのボビン部の側面図である。
【図７】実施の形態の第５の例のトランスのボビン部の断面図である。
【図８】実施の形態の第６の例のトランスの第１のボビン部の断面図および第２のボビン部の側面図である。
【図９】従来のトランスの断面図である。
【符号の説明】
【００４３】
１  第１のボビン部、１ａ  底面部、１ｂ  側面部、１ｄ  貫通孔、２  第２のボビン部、２ａ  底面部、２ｂ  側面部、１ｃ  ピン、２ｃ  ピン、２ｄ  貫通孔、５  一次側コイル、６  絶縁体、７  二次側コイル、１０  トランス。
【図１】
2007184468.tif 000003
【図２】
2007184468.tif 000004
【図３】
2007184468.tif 000005
【図４】
2007184468.tif 000006
【図５】
2007184468.tif 000007
【図６】
2007184468.tif 000008
【図７】
2007184468.tif 000009
【図８】
2007184468.tif 000010
【図９】
2007184468.tif 000011